(57)【要約】【課題】  タッチパネルとキーをスタイラスで容易に操作すること。【解決手段】  タッチパネル２０とキー２２〜３４を含む表示部１６を備えた測量機１０であって、キー２２〜３４は、その頂面（キートップ）が凹面に形成されている。キー２２の頂面（キートップ）２２ｃをスタイラスＳの先端で押し下げ操作すると、凹面状に形成された頂面（キートップ）２２ｃにスタイラスＳの先端が接触するので、頂面（キートップ）２２ｃをスタイラスＳで操作しても、スタイラスＳの先端が頂面（キートップ）２２ｃ上を滑るのが抑制され、キー２２をスタイラスＳで確実に押し下げ操作することができる。【選択図】  図４
0003125326.tif 000002
【実用新案登録請求の範囲】
【請求項１】
タッチパネルとキーを含む表示部を備えたタッチパネル付き測量機において、前記キーは、その頂面が凹面に形成されていることを特徴とするタッチパネル付き測量機。
【考案の詳細な説明】
【技術分野】
【０００１】
本考案は、タッチパネル付き測量機に係り、特に、タッチパネルとキーを含む表示部を備えたタッチパネル付き測量機のキー構造の改良に関する。
【背景技術】
【０００２】
測距・測角機能を有する測量機としてトータルステーションが知られている。この種のトータルステーションにおいては、機能が多様化するのに伴い、ユーザーの操作性を向上させるために、測量結果等を表示するための表示部として、タッチパネル付きの表示部が採用されるようになった。  
【考案の開示】
【考案が解決しようとする課題】
【０００３】
しかし、測量機に単にタッチパネルを取り付けるだけでは、測量データ等を入力したり、測量結果等を表示したりする機能を満たすことが困難であるため、タッチパネルの他に、データ等を入力するためのキーを取り付けることが余儀なくされる。
【０００４】
一方、測量機にタッチパネルを取り付けるにも、機械の性質上大きなタッチパネル、例えば、大きな液晶タッチパネルを取り付けることは困難であり、小さな液晶タッチパネルを取り付ける必要がある。小型のタッチパネルとキーを測量機に取り付けた場合、指よりもスタイラスでタッチパネルの表面を操作する方が効果的である。しかし、キーは、指で操作することを前提とした形状となっているので、スタイラスでキーを操作することは困難である。
【０００５】
すなわち、図７（ａ）に示すように、キー５０の頂面（上面）は凸面状に形成されているので、キー５０の頂面（キートップ）５０ａをスタイラスＳで操作しても、スタイラスＳの先端がキー５０の頂面５０ａから滑るようにして離れ、キー５０を押せないことがある。
【０００６】
従って、小型のタッチパネルとキーを測量機に取り付けた場合、キーの操作は指で行い、タッチパネルの操作はスタイラスで行うことが余儀なくされ、操作が複雑になり、好ましくない。
【０００７】
本考案は、前記従来技術の課題に鑑みて為されたものであり、その目的は、タッチパネルとキーをスタイラスで容易に操作することにある。
【課題を解決するための手段】
【０００８】
前記目的を達成するために、請求項１に係るタッチパネル付き測量機においては、タッチパネルとキーを含む表示部を備えたタッチパネル付き測量機において、前記キーは、その頂面が凹面に形成されている構成とした。
【０００９】
（作用）タッチパネルを小型のもので構成しても、スタイラスでタッチパネルの表面を確実に操作することができる。一方、キーの頂面（キートップ）を凹面に形成すると、スタイラスの先端でキートップを操作しても、スタイラスの先端がキートップ上を滑るのが抑制され、キーを確実に押し下げ操作することができる。このため、スタイラスでタッチパネルとキーを交互に操作する場合でも、迅速に操作することができ、作業時間が短縮される。
【００１０】
また、前記キーとしては、その頂面に凹部を形成する構成とすることもできる。上記構成を採用すると、タッチパネルを小型のもので構成しても、スタイラスでタッチパネルの表面を確実に操作することができる。一方、キーの頂面（キートップ）に凹部を形成すると、スタイラスの先端で凹部を操作しても、スタイラスの先端の移動が凹部によって阻止され、キーを確実に押し下げ操作することができる。このため、スタイラスでタッチパネルとキーを交互に操作する場合でも、迅速に操作することができ、作業時間が短縮される。
【考案の効果】
【００１１】
以上の説明から明らかなように、請求項１に係るタッチパネル付き測量機によれば、スタイラスを用いてタッチパネルとキーを迅速に操作することができ、作業時間の短縮を図ることができる。
【考案を実施するための最良の形態】
【００１２】
以下、本考案の一実施例の形態を図面に基づいて説明する。図１は、本考案の一実施例を示すタッチパネル付き測量機の斜視図、図２は、表示部の斜視図、図３は、図２のＡ−Ａ線に沿う断面図、図４は、キーの一実施例を示す要部断面図、図５は、スタイラスの平面図、図６は、キーの他の実施例を示す要部断面図、図７（ａ）は、従来のキーとスタイラスの関係を説明するための図、図７（ｂ）は、本考案の一実施例を示すキーとスタイラスの関係を説明するための図、図７（ｃ）は、本考案の他の実施例を示すキーとスタイラスの関係を説明するための図である。
【００１３】
これらの図において、タッチパネル付き測量機１０は、図１に示すように、測距・測角可能な測量機として、水平回転可能な測量機本体１２と、測量機本体１２に鉛直回転可能に取り付けられた望遠鏡１４と、測量機本体１２に傾斜した状態で固定された表示部１６を備えて構成されている。
【００１４】
表示部１６は、樹脂を用いて箱型に形成された枠１８と、液晶で構成されて枠１８に取り付けられたタッチパネル２０と、タッチパネル２０の周囲に配置されて、枠１８に分散して配置されたキー２２、２４、２６、２８、３０、３２、３４を備えて構成されている。
【００１５】
タッチパネル２０は、圧力センサを内蔵し、液晶モニタ上に貼付された構成となっており、タッチパネル２０のいずれかの部位にスタイラスＳの先端を押し付けると、押し付けられた部位の位置を圧力センサが検出するように構成されている。
【００１６】
各種キー２２〜３４は、その頂面（キートップ）が凹面状に形成されている。例えば、キー２２は、図４に示すように、円柱状のキー本体２２ａと、枠１８の開口１８ａよりも径の大きいフランジ部２２ｂとが一体となって構成され、キー本体２２ａの頂面（キートップ）２２ｃは凹面状に形成されている。キー本体２２ａは、枠１８の開口１８ａからその上部側の一部が突出されており、キー本体２２ａの底面側は、絶縁性ゴムシート３６の円柱状突起３８で支持されている。すなわち、キー２２は、キー本体２２ａが突起３８による弾性力を受けて突起３８から離れる方向に付勢される一方、フランジ部２２ｂと開口１８ａの縁との当接により、開口１８ａから外れるのが阻止されている。突起３８の底面には導電性ゴムによる導電部４０が基板４２と相対向して配置されている。この導電部４０は、キー２２が押し下げ操作されたときに、基板４２上の一対の接点部（図示せず）に接触し、接点部と接点部とを電気的に接続するようになっている。なお、ゴムシート３６と枠１８との間には防水処理が施されており、基板４２上に水等が浸入するのを防止する構造となっている。
【００１７】
ここで、キー２２〜３４を操作するに際して、例えば、キー２２の頂面（キートップ）２２ｃをスタイラスＳの先端で押し下げ操作すると、図７（ｂ）に示すように、凹面状に形成された頂面（キートップ）２２ｃにスタイラスＳの先端が接触するので、頂面（キートップ）２２ｃをスタイラスＳで操作しても、スタイラスＳの先端が頂面（キートップ）２２ｃ上を滑るのが抑制され、キー２２をスタイラスＳで確実に押し下げ操作することができる。
【００１８】
本実施例によれば、スタイラスＳでタッチパネル２０とキー２２〜３４を交互に操作する場合でも、迅速に操作することができ、作業時間を短縮することができる。
【００１９】
また、キー２２〜３４としては、キー本体をゴムシート３６と一体に形成する構成を採用することができる。例えば、キー２２の場合、図６に示すように、フランジ部２２ｂを設けることなく、キー本体２２ａをゴムシート３６と一体に形成し、キー本体２２ａの底面に導電部４０を固定する構成を採用することもできる。この場合は、部品点数を低減することができる。
【００２０】
また、キー２２〜３４の頂面（キートップ）２２ｃを凹面状に形成する代わりに、頂面（キートップ）２２ｃの中央部に凹部を形成する構成を採用することもできる。例えば、キーの場合、図７（ｃ）に示すように、キー２２の頂面（キートップ）２２ｃの中央部に凹部２２ｄを形成する構成を採用することができる。この場合、キー２２の頂面（キートップ）２２ｃの凹部２２ｄをスタイラスＳの先端で押し下げ操作すると、スタイラスＳの先端の移動が凹部２２ｄで阻止されるので、キー２２をスタイラスＳで確実に押し下げ操作することができる。
【００２１】
本実施例によれば、スタイラスＳでタッチパネル２０とキー２２〜３４を交互に操作する場合でも、迅速に操作することができ、作業時間を短縮することができる。
【図面の簡単な説明】
【００２２】
【図１】本考案の一実施例を示すタッチパネル付き測量機の斜視図である。
【図２】表示部の斜視図である。
【図３】図２のＡ−Ａ線に沿う断面図、
【図４】キーの一実施例を示す要部断面図である。
【図５】スタイラスの平面図、
【図６】キーの他の実施例を示す要部断面図、
【図７】（ａ）は、従来のキーとスタイラスの関係を説明するための図、（ｂ）は、本考案の一実施例を示すキーとスタイラスの関係を説明するための図、（ｃ）は、本考案の他の実施例を示すキーとスタイラスの関係を説明するための図である。
【符号の説明】
【００２３】
１０  タッチパネル付き測量機
１２  測量機本体
１４  望遠鏡
１６  表示部
１８  枠
２０  タッチパネル
２２  キー
２２ａ  キー本体
２２ｂ  フランジ部
２２ｃ  頂面（キートップ）
２２ｄ  凹部
２４〜３４  キー
３６  ゴムシート
３８  突起
４０  導電部
４２  基板
【図１】
0003125326.tif 000003
【図２】
0003125326.tif 000004
【図３】
0003125326.tif 000005
【図４】
0003125326.tif 000006
【図５】
0003125326.tif 000007
【図６】
0003125326.tif 000008
【図７】
0003125326.tif 000009